(57)【要約】【課題】弁体の開閉操作を円滑に行える弁開閉装置を提供する。【解決手段】本発明は、継手管と、継手管内に設けた弁体と、この弁体から立ち上がる操作杵と、操作杵の上端部に設けられた回転ハンドルと、継手管から立設して操作杵を外装する立ち上り管とを備え、操作杵の上側にある螺着構造の接合部材を有するとともに、弁体の上部に位置するクランプ状部材を設けた弁開閉装置にあって、弁体とクランプ状部材内部に収納している操作杵端部の操作杵軸受部が分離している弁開閉装置である。さらに、接合部材の雌ネジ部と操作杵の雄ネジ部が、螺着接続されており、又、操作杆は立ち上り管内で長手方向に分割されており、伸縮自在なロッドにより接続されている。【選択図】図１
2006266396.tif 000002
【特許請求の範囲】
【請求項１】
継手管（１）と、継手管内に設けた弁体（６）と、この弁体から立ち上がる操作杵（９）と、操作杵の上端部に設けられた回転ハンドル（１４）と、継手管から立設して操作杵を外装する立ち上り管（３）とを備え、操作杵（９）の上側にある螺着構造の接合部材（４）を有するとともに、弁体の上部に位置するクランプ状部材（２）を設けた弁開閉装置にあって、弁体（６）とクランプ状部材（２）内部に収納している操作杵（９）端部の操作杵軸受部（１０）が分離している弁開閉装置。
【請求項２】
接合部材（４）の雌ネジ部（１１）と操作杵（９）の雄ネジ部（１２）が螺着接続されている請求項１記載の弁開閉装置。
【請求項３】
操作杆（９）は立ち上り管（３）内で長手方向に分割されており、伸縮自在なロッドにより接続されている請求項１又は２に記載の弁開閉装置。
【請求項４】
請求項１〜３のいずれか１項に記載の弁開閉装置を用いた暗渠排水用水甲。
【発明の詳細な説明】
【技術分野】
【０００１】
本発明は、例えば、水田の暗渠排水あるいは土中灌水施設などに用いられる弁開閉装置に関する。
【背景技術】
【０００２】
従来の例えば、水田の暗渠排水用バルブは、操作杆に施された雄ネジと雌ネジが施された部材によって弁体を上下させ水流の止水、開放を行っていた。この動作は、操作杆が中間部において上下に分割され、かつ分割部で上下の操作杆が回動可能に連結されており、操作杆の回転運動が分割部において操作杆の上下運動に変えられ、さらに弁体に伝えられる構造が提案されている（例えば、特許文献１）。
【特許文献１】特開２００１−２２０７３１号公報
【発明の開示】
【発明が解決しようとする課題】
【０００３】
本発明の課題は、弁体の開閉操作が円滑に行える弁開閉装置を提供することである。
【課題を解決するための手段】
【０００４】
本発明者は、課題を達成するために鋭意検討した結果、弁体と操作杵端部を分離することで、より円滑に弁体を上下に昇降させることを見出し、本発明を完成した。
【０００５】
本発明は、継手管と、継手管内に設けた弁体と、この弁体から立ち上がる操作杵と、操作杵の上端部に設けられた回転ハンドルと、継手管から立設して操作杵を外装する立ち上り管とを備え、操作杵の上側にある螺着構造の接合部材を有するとともに、弁体の上部に位置するクランプ状部材を設けた弁開閉装置にあって、弁体とクランプ状部材内部に収納している操作杵端部の操作杵軸受部が分離している弁開閉装置である。さらに、接合部材の雌ネジ部と操作杵の雄ネジ部が、螺着接続されていることが好ましい。又、操作杆は立ち上り管内で長手方向に分割されており、伸縮自在なロッドにより接続されていることが好ましい。さらに、弁開閉装置を用いた暗渠排水用水甲である。
【発明の効果】
【０００６】
本発明の弁開閉装置は、弁体の開閉操作を円滑に行うことができる。
【発明を実施するための最良の形態】
【０００７】
以下に、本発明の弁開閉装置の実施の形態を示す図面を参照しつつ、詳細に説明する。
【０００８】
図１において、水田の暗渠排水に用いられている暗渠排水用バルブに適用した場合を説明する。暗渠排水管（図省略）は、水田の地中１ｍ程度の深さに埋設されており、地中で弁開閉装置と連結している。弁開閉装置の構成を詳しく説明する。継手管１は、例えば硬質塩化ビニル樹脂などの合成樹脂からなり、ほぼＴ字型になっており、暗渠排水管を接続する連通口７を両側に有しているとともに、それらの中間部の上側に円筒形状の立ち上り管接続部８を有している。立ち上り管接続部８内には立ち上り管３の下端部が、例えば接着剤により固定されている。この立ち上り管３は、硬質塩化ビニル樹脂などの切断が比較的容易な合成樹脂からなり、鉛直な円筒形状である。
【０００９】
立ち上り管３の上端に螺着構造を有する接合部材４を配設するとともに、その上部に略お椀状の保護カバー５を配設している。
【００１０】
弁体６の材質は、例えば、エチレン−プロピレンゴム（ＥＰＤＭ）、クロロプレンゴム、天然ゴム等のゴムやこれらの混合物を含むものを使用できる。この弁体６は、継手管１内の水路を開閉する略弾丸状の形状であり、継手管１内において暗渠排水管を接続する両連通口７間の位置に昇降自在に設けられている。又、弁体６の上部は、先端が略鍵型をしたクランプ状部材２と連設されている。
【００１１】
弁体６と立ち上り管３内に位置する操作杵９は直接連結されていなく分離している。操作杵９端部の操作杵軸受部１０がクランプ状部材２内部に収納された状態で、弁体６と操作杵９は間接的に連結されている。図３に示すように、クランプ状部材２の上部には、操作杵９の直径より大きく、操作杵軸受部１０の直径より小さい円形の開口部を配設してある。
【００１２】
操作杵９は、例えば硬質塩化ビニル樹脂などの合成樹脂からなり、鉛直な円筒形状になっている。操作杵９の上端部は、保護カバー５の天井部を貫通する状態で連設されている回転ハンドル１４に連設されている。操作杵９の側には雄ネジ部１２が配設されており、その雄ネジ部１２と螺着する雌ネジ部１１を有する接合部材４を経て、操作杵９と立ち上り管３が連結されている。
【００１３】
操作杆９は立ち上り管３内で長手方向に、その外径が一方のロッドの内径より小さいロッドが互いに外嵌合、内嵌合の状態でスライドすることによって、伸縮自在となる。立ち上り管３の長さを切断して長さ調整をしたときに、操作杆９の伸縮部１３が対応する。
【００１４】
次に、回転ハンドル１４から操作杵９、弁体６への動作について説明する。回転ハンドル１４を回転することによって、操作杵９の雄ネジ部１２が接合部材４の内周面の雌ネジ部１１と螺着して、操作杵９が上下に昇降する。操作杵９端部の操作杵軸受部１０は、弁体６と直接連結されていなく、クランプ状部材２内部に収納されている。操作杵９の回転によって生じる上下運動が操作杵軸受部１０に伝達して、例えば、下降した操作杵軸受部１０が弁体６の上部に当たり、さらに弁体６を押し下げ、弁体６が継手管１内の水路を閉じる。又、上昇した操作杵軸受部１０がクランプ状部材２の上部クランプ部に当たり、それに連動して弁体６が引き上げられ、継手管１内の水路を開く。操作杵軸受部１０と弁体６とが連結されていないために、操作杵９の回転が弁体６に直接伝わらず弁体６が回転しないため、弁体６と継手管１との摩擦が発生することなく、わずかな力で回転ハンドル１４が回り、弁体６が継手管１内で円滑に開閉する。雄ネジ部１２と雌ネジ部１１のネジピッチは、特に制限がないが、弁体を開閉する時間の短縮から、二条ネジから五条ネジが好ましい。
【００１５】
本発明の弁開閉装置の施工に際しては、保護カバー５が畦畔の地面に出るように弁開閉装置の高さ調整を行う。そのために、地中に集水管、排水管と共に継手管１を敷設した後、継手管１の連通口７から畦畔の地面までの高さを計測し、立ち上り管３及び操作杵９の上部を適当な長さで切断する。水田の湿田、乾田化の管理のために弁開閉装置を開閉するには、回転ハンドル１４を時計回りに回転させて操作杵９が上昇して、それに連動して弁体６が上昇し継手管１内の水路を開く。逆に、回転ハンドル１４を反時計回りに回転させて操作杵９が下降して、それに連動して弁体６が下降し継手管１内の水路を閉じる。弁開閉装置を開いた状態では、集水管内に吸水された水田下の地中水が排水管及び弁開閉装置の継手管１を通って排水側溝へ排水される。これにより水田の乾田化が図られる。一方、弁開閉装置を閉じた状態では、集水管からの排水が継手管１において弁体６により遮断されるので、地中水が水田下に止まり湿田が図られる。
【００１６】
また、集水管（図省略）に連通する継手管１から畦畔の地面までの高さは一定していなく、保護カバー５を畦畔の地面に位置させるためには、弁開閉装置の高さ調整が必要であるが、立ち上り管３を適当な長さに切断し、操作杵９の口径が異なるロッドで接合されている伸縮部１３で伸縮対応ができ、弁開閉装置の高さ調整ができる。
【実施例】
【００１７】
以下に、実施例に基づいて図１〜図３を参照しながら詳細に説明するが、本発明は実施例により限定されるものではない。
【００１８】
【表１】
2006266396.tif 000003
【００１９】
表１において、「弁体を開閉させる力」は、弁体に静水圧８２Ｐａ（実際水田で、弁体が閉じている時に作用する水圧）を作用させて計測器で測定した。
【００２０】
（実施例１）継手管１、操作杵９及び立ち上り管３は、硬質塩化ビニル樹脂製であり、弁体６はＥＰＤＭ製で略弾丸状の形状をしてその表面には縦方向に鋭角な溝が形成してあり、操作杵９の直径は直径３０mmと２０ｍｍのロッドで構成され、回転ハンドル１４から継手管１までの全長は１５００mm、雄ネジ部１２のネジピッチは、三条ネジであり、他は図１の構成で弁開閉装置を得た。
【００２１】
（比較例１）クランプ状部材２がなく、操作杵９と弁体６を直接連結した以外、実施例１と同様にして弁開閉装置を得た。
【００２２】
本発明の弁開閉装置は、暗渠排水用の水甲に好適に使用することができる。
【図面の簡単な説明】
【００２３】
【図１】本発明の弁開閉装置の一実施形態を示す概略断面図である。
【図２】同上の弁体が開いた状態を示す概略断面図である。
【図３】同上のクランプ状部材の説明図である。
【符号の説明】
【００２４】
１    継手管
２    クランプ状部材
３    立ち上り管
４    接合部材
５    保護カバー
６    弁体
７    連通口
８    立ち上り管接続部
９    操作杆
１０    操作杆軸受部
１１    雌ネジ部
１２    雄ネジ部
１３    伸縮部
１４    回転ハンドル
【図１】
2006266396.tif 000004
【図２】
2006266396.tif 000005
【図３】
2006266396.tif 000006